(57)【要約】【課題】素早く狙いを定めて安定したボールを打つことができるパター構造を提供する。【解決手段】  パター構造は、シャフト１０と、シャフト１０の下端に設けられたクラブヘッド２０とを備える。クラブヘッド２０は、前端に設けられた打撃部２１と、後端に配置されたダミーボール２２とを有する。ダミーボール２２の上面には、アライメントライン２３が設けられる。ユーザは、ボールを打つ際、ダミーボール２２のアライメントライン２３に試合用ボールのアライメントラインを合わせて打つことにより安定した打球が可能となる。【選択図】図１
0003177927.tif 000002
【実用新案登録請求の範囲】
【請求項１】
シャフトと、前記シャフトの下端に設けられたクラブヘッドとを備えたパター構造であって、
前記クラブヘッドは、前端に形成された打撃部と、後端に配置されたダミーボールとを有し、
前記ダミーボールの上面にアライメントラインが設けられたパター構造であり、
ユーザは、ボールを打つ際、前記ダミーボールの前記アライメントラインに試合用ボールのアライメントラインを合わせて打つことを特徴とするパター構造。
【考案の詳細な説明】
【技術分野】
【０００１】
本考案は、パター構造に関するものであり、さらに詳しくは、クラブヘッド後部に配置されたダミーボールにアライメントラインが設けられ、試合用ボールのアライメントラインへ正確に合わせてボールを打つパター構造に関するものである。
【背景技術】
【０００２】
ゴルフを楽しむ場合、一般にグリーンでは、ホールへボールを入れるためにパターを使用する。パターは、クラブヘッドを有し、クラブヘッドの上部にシャフトが設けられ、ユーザはパターを利用することにより、狙いを定めた方向へクラブヘッドで打ち出してボールをホールに入れる。しかし市販されているパターには様々なスタイルがあり、アライメントラインが設けられているのが一般的であり、個々人が様々な目測方式によりボールを打つが、常に一定の条件を維持することは、プロの選手であっても困難であり、パターを繰り返し練習する必要がある。また、理想的なパターというものは存在しなかった。
【０００３】
特開２０１２−５５６７２合公報（以下、「特許文献１」という。）には、パターヘッドと、ネック部と、シャフトに分割して、パターヘッドとシャフトの位置関係を自由に変更できるようにし、使用者のスタイル等に合うように調整可能にしたゴルフパターが記載されている。
【０００４】
また、特開２００９−６６２８６号公報（以下「特許文献２」という。）には、パターヘッドの前面に打撃フェイスを形成させ、ゴルフボールにオーバースピンをかけ、グリーン上のアンジュレーションに影響されずにゴルフボールを真っ直ぐに転がせるように考案されたゴルフパターが記載されている。
【０００５】
しかし、前記の特許文献１および２のいずれにも、打球を安定化させることを狙ってアライメントラインを付したダミーボールを利用する点については開示がない。
【特許文献１】特開２０１２−５５６７２号公報
【特許文献１】特開２００９−６６２８６号公報
【考案の概要】
【考案が解決しようとする課題】
【０００６】
本考案の課題は、パターのクラブヘッドの前端に打撃部が設けられ、クラブヘッド後端にダミーボールが配置された構造を利用することにより、ユーザは素早く狙いを定めて打つことができるパター構造を提供することにある。
【課題を解決するための手段】
【０００７】
そこで、本考案者は、前記の本考案の課題を解決するために鋭意検討を重ねた結果、ダミーボールが配置しダミーボールの上面にアライメントラインが設けられた構造を利用することにより、前記課題を解決できることに着目し、本考案を想到するに至った。
【０００８】
上記課題を解決するために、本考案の第１の形態によれば、シャフトと、前記シャフトの下端に設けられたクラブヘッドと、を備えたパター構造であって、前記クラブヘッドは、前端に設けられた打撃部と、後端に配置されたダミーボールと、を有するパター構造であり、前記ダミーボールの上面にアライメントラインが設けられ、ボールを打つ際、前記ダミーボールの前記アライメントラインに試合用ボールのアライメントラインを合わせて打つことを特徴とするパター構造が提供される。
【考案の効果】
【０００９】
本考案に係るパター構造は、前記の構成からなり、ユーザーによる狙いが安定化し、安定した打球が可能となる。
【図面の簡単な説明】
【００１０】
【図１】本考案の一実施形態に係るパター構造を示す斜視図である。
【図２】試合用ボールをホールに狙いを定めて打つときの状態を示す平面図である。
【図３】本考案の一実施形態に係るパター構造の使用状態を示す平面図（１）である。
【図４】本考案の一実施形態に係るパター構造の使用状態を示す平面図（１）である。
【図５】本考案の一実施形態に係るパター構造の使用状態を示す斜視図である。
【図６】本考案の他の実施形態に係るパター構造の使用状態を示す斜視図である。
【考案を実施するための形態】
【００１１】
以下、本考案の実施形態について図面に基づいて説明する。なお、これによって本考案が限定されるものではない。
【００１２】
図１を参照する。図１に示すように、本考案の一実施形態に係るパター構造は、Ｌ字状であり、少なくともシャフト１０と、シャフト１０の下端に設けられたクラブヘッド２０と、から構成される。クラブヘッド２０は、前端に形成された打撃部２１と、後端に配置されたダミーボール２２と、を有する。ダミーボール２２の上面には、アライメントライン２３が設けられる。
【００１３】
一般の選手は、試合用ボール３０の上面に設けられたアライメントライン３１を真上へ向け、ホール３２までの軌道に合わせてボールを置く（図２参照）。ユーザが本実施形態のパター１００を使用して狙いを定める際、パター１００のクラブヘッド２０の後端に配置されたダミーボール２２が試合用ボール３０のサイズに等しく、試合用ボール３０上にアライメントライン３１が設けられているため、ユーザはダミーボール２２上に設けられたアライメントライン２３を試合用ボール３０のアライメントライン３１へ正確に合わせることができる上、同じような構造の見た目によりユーザが最も正確に狙いを定めることができ、ダミーボール２２のアライメントライン２３を試合用ボール３０のアライメントライン３１へ合わせることができるため、アライメントラインからずれたときに直ちに修正することができる（図３〜図５参照）。この構成により、打ち出された試合用ボール３０がホール３２に入る確率を高めることができる。
【００１４】
さらに、図６を参照する。図６に示すように、本考案の他の実施形態に係るパター１００は、形状がＤ字状であり、少なくともシャフト１０と、シャフト１０の下端に設けられたクラブヘッド２０と、から構成される。クラブヘッド２０は、前端に形成された打撃部２１と、後端に配置されたダミーボール２２とを有する。ダミーボール２２の上面には、アライメントライン２３が設けられる。
【００１５】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１６】
１０  シャフト
２０  クラブヘッド
２１  打撃部
２２  ダミーボール
２３  アライメントライン
３０  試合用ボール
３１  アライメントライン
３２  ホール
１００  パター
【図１】
0003177927.tif 000003
【図２】
0003177927.tif 000004
【図３】
0003177927.tif 000005
【図４】
0003177927.tif 000006
【図５】
0003177927.tif 000007
【図６】
0003177927.tif 000008